(57)【要約】【課題】  原稿を損傷させることなく様々な厚さの原稿に対する原稿押さえ部材の開閉及び押圧動作を実行できる画像読み取り装置を提供する。【解決手段】  原稿を載せるプラテンガラスを有する本体部と、原稿押さえ部材と、前記原稿押さえ部材に取り付けられかつ棒状に伸長した支持部材を有するヒンジ部材とを含む画像読み取り装置を、前記原稿押さえ部材が、前記支持部材を前記本体部の上面に設けられた軸受け部の開口部に挿入して固定することによって開閉動作を実行し、前記本体部の上面の少なくとも前記ヒンジ部材から前記プラテンガラスの間に、突起が設けられているように構成する。【選択図】          図４
2005260761.tif 000002
【特許請求の範囲】
【請求項１】
原稿を載せるプラテンガラスを有する本体部と、原稿押さえ部材と、前記原稿押さえ部材に取り付けられかつ棒状に伸長した支持部材を有するヒンジ部材とを含む画像読み取り装置であって、
前記原稿押さえ部材は、前記支持部材を前記本体部の上面に設けられた軸受け部の開口部に挿入して固定することによって開閉動作を実行し、
前記本体部の上面の少なくとも前記ヒンジ部材から前記プラテンガラスの間に、突起が設けられていることを特徴とする画像読み取り装置。
【請求項２】
前記突起の高さは、前記原稿押さえ部材を開く際に前記ヒンジ部材と前記本体部の上面との間に生じる空隙よりも大きいことを特徴とする請求項１記載の画像読み取り装置。
【請求項３】
前記突起は、前記本体部の上面の所定の位置に着脱可能な別部材として形成されることを特徴とする請求項１又は２記載の画像読み取り装置。
【請求項４】
原稿を載せるプラテンガラスを有する本体部と、原稿押さえ部材と、前記原稿押さえ部材に取り付けられかつ棒状に伸長した支持部材を有するヒンジ部材とを含む画像読み取り装置であって、
前記原稿押さえ部材は、前記支持部材を前記本体部の上面に設けられた軸受け部の開口部に挿入して固定することによって開閉動作を実行し、
前記軸受け部は前記ヒンジ部材の底面よりやや広くかつ前記本体部の上面から段差を設けられた第２の面を有し、前記ヒンジ部材を前記第２の面内に配置したことを特徴とする画像読み取り装置。
【請求項５】
前記段差の高さは、前記原稿押さえ部材を開く際に前記ヒンジ部材と前記第２の面との間に生じる空隙よりも大きいことを特徴とする請求項４記載の画像読み取り装置。
【請求項６】
原稿を載せるプラテンガラスを有する本体部と、原稿押さえ部材と、前記原稿押さえ部材に取り付けられかつ棒状に伸長した支持部材を有するヒンジ部材とを含む画像読み取り装置であって、
前記原稿押さえ部材は、前記支持部材を前記本体部の上面に設けられた軸受け部の開口部に挿入して固定することによって開閉動作を実行し、
前記原稿押さえ部材には、底面の一部に少なくとも前記ヒンジ部材の前記プラテンガラス側の端部を覆うフィルム部材が設けられており、前記フィルム部材の前記原稿押さえ部材と結合されていない側の端部は、常に前記本体部の上面と接触していることを特徴とする画像読み取り装置。
【発明の詳細な説明】
【技術分野】
【０００１】
本発明は、原稿台に載置された原稿を押圧する原稿押さえ部材を有する画像読み取り装置に関する。
【背景技術】
【０００２】
一般に、複写機等に設けられる画像読み取り装置では、原稿台（プラテンガラス）に載置された原稿の画像を読み取る際に原稿が原稿台から浮き上がらないように、原稿の上方から原稿押さえ部材（プラテンカバー）で押圧する構造となっている。原稿押さえ部材は、画像読み取り装置本体（以下、装置本体と言う）にヒンジ状に開閉自在に取り付けられている。
【０００３】
実使用においては、原稿が１枚又は数枚の厚さのものであれば、原稿押さえ部材を閉じた際に、原稿押さえ部材の姿勢をほぼ水平すなわち原稿台とほぼ水平に保持することができる。しかし、例えば製本された書籍等の厚さの大きな原稿の場合は、原稿押さえ部材を閉じた際に、原稿押さえ部材自体が原稿の厚みによって大きく傾いてしまうことがある。このような場合、原稿押さえ部材が原稿を均一に押圧することができないため、原稿の位置ずれや原稿が浮くことによる画像の歪みを招くことになる。
【０００４】
このような問題点については、例えば特許文献１に見られるように、装置本体の上面に軸穴を設けて、支持脚を有するヒンジ部材を原稿押さえ部材に装着し、この支持脚を軸穴に挿入することによって、装置本体上での原稿押さえ部材の開閉動作及び上下動作を可能とする上げ蓋用バランスヒンジの構成が開示されている。
【０００５】
【特許文献１】登録実用新案第２５６２５３３号公報
【発明の開示】
【発明が解決しようとする課題】
【０００６】
特許文献１記載の上げ蓋用バランスヒンジは、図１に示すように、装置本体１にボルト６を用いて取り付けられた軸受け部５と原稿台７とを有する複写機等の装置において、回転軸３により枢着された支持脚部４を有する上げ蓋２が、支持脚部４を軸受け部５の凹部５ａに挿入して結合するように構成されている。このような構成によれば、原稿台７上に厚さの大きな被複写物８が載置された場合、上げ蓋２の裏面２ａが被複写物８の上部と当接しつつ支持脚部４が軸受け部５から上方向に摺動することによって、上げ蓋２の姿勢を原稿台７すなわち被複写物８とほぼ水平に保持しつつ被複写物８を押圧することが可能となる。
【０００７】
しかしながら、特許文献１記載の上げ蓋用バランスヒンジは、上下方向に摺動可能な為、使用者が上げ蓋２を装置本体１に対して勢い良く持ち上げた場合、図１（ｃ）に示すような支持脚部４に対して上げ蓋２の質量が大きい為に支持脚部４が後方への力を受けて瞬間的に空隙９が発生する。又、上げ蓋２を特定角度で停止させる為にバランスヒンジにスプリングを内蔵したタイプが近年主流であるが、スプリングを内蔵のバランスヒンジにおいてはスプリング反力の影響を受け、空隙９は大きくなる。これに対し、１枚または複数枚の薄い原稿の画像読み取りを行う際に、原稿が上げ蓋２の裏面２ｂに静電気等により吸着したまま持ち上げられ、上げ蓋２が特定角度で上げ蓋２の裏面２ｂから剥がれる為に原稿が後方に落ちながら移動し、上述の空隙９に入り込み、原稿が支持脚部４と軸受け部５との間に挟まれてしましまう。この状態で使用者が挟まれた原稿を外そうと引くことで原稿が破れたり汚れたりする等の問題が発生する場合があった。
【０００８】
そこで、本発明は、上記問題点に鑑みてなされたもので、原稿を損傷させることなく様々な厚さの原稿に対する原稿押さえ部材の開閉及び押圧動作を実行できる画像読み取り装置を提供することを目的とする。
【課題を解決するための手段】
【０００９】
上記課題を解決するために、本発明は、請求項１に記載のように、原稿を載せるプラテンガラスを有する本体部と、原稿押さえ部材と、前記原稿押さえ部材に取り付けられかつ棒状に伸長した支持部材を有するヒンジ部材とを含む画像読み取り装置であって、前記原稿押さえ部材は、前記支持部材を前記本体部の上面に設けられた軸受け部の開口部に挿入して固定することによって開閉動作を実行し、前記本体部の上面の少なくとも前記ヒンジ部材から前記プラテンガラスの間に、突起が設けられているように構成される。このような構成によれば、本体部の上面の一部に突起を設けたため、原稿押さえ部材を開く際にヒンジ部材と上面との間に生じる空隙に原稿が挟み込まれないようにすることができる。
【００１０】
請求項１記載の画像読み取り装置は、例えば請求項２記載のように、前記突起の高さは、前記原稿押さえ部材を開く際に前記ヒンジ部材と前記本体部の上面との間に生じる空隙よりも大きいように構成することもできる。
【００１１】
請求項１又は２記載の画像読み取り装置は、例えば請求項３記載のように、前記突起は、前記本体部の上面の所定の位置に着脱可能な別部材として形成されるように構成することもできる。
【００１２】
また、本発明は、請求項４記載のように、原稿を載せるプラテンガラスを有する本体部と、原稿押さえ部材と、前記原稿押さえ部材に取り付けられかつ棒状に伸長した支持部材を有するヒンジ部材とを含む画像読み取り装置であって、前記原稿押さえ部材は、前記支持部材を前記本体部の上面に設けられた軸受け部の開口部に挿入して固定することによって開閉動作を実行し、前記軸受け部は前記ヒンジ部材の底面よりやや広くかつ前記本体部の上面から段差を設けられた第２の面を有し、前記ヒンジ部材を前記第２の面内に配置するように構成することもできる。このような構成によれば、軸受け部に段差を設けられた第２の面を設けたため、原稿押さえ部材を開く際にヒンジ部材と該第２の面との間に生じる空隙に原稿が挟み込まれないようにすることができる。
【００１３】
請求項４記載の画像読み取り装置は、例えば請求項５記載のように、前記段差の高さは、前記原稿押さえ部材を開く際に前記ヒンジ部材と前記第２の面との間に生じる空隙よりも大きいように構成することもできる。
【００１４】
また、本発明は、請求項６記載のように、原稿を載せるプラテンガラスを有する本体部と、原稿押さえ部材と、前記原稿押さえ部材に取り付けられかつ棒状に伸長した支持部材を有するヒンジ部材とを含む画像読み取り装置であって、前記原稿押さえ部材は、前記支持部材を前記本体部の上面に設けられた軸受け部の開口部に挿入して固定することによって開閉動作を実行し、前記原稿押さえ部材には、底面の一部に少なくとも前記ヒンジ部材の前記プラテンガラス側の端部を覆うフィルム部材が設けられており、前記フィルム部材の前記原稿押さえ部材と結合されていない側の端部は、常に前記本体部の上面と接触しているように構成することもできる。
【発明の効果】
【００１５】
本発明によれば、様々な厚さの原稿に対して開閉及び押圧動作を実行し、かつヒンジ部材と本体上面との間の空隙に原稿が挟まることを防止できる画像読み取り装置を提供できる。
【発明を実施するための最良の形態】
【００１６】
以下、本発明を実施するための最良の形態を図面と共に詳細に説明する。
【実施例１】
【００１７】
本発明による実施例１について図面を用いて詳細に説明する。図２は、本実施例１よる画像読み取り装置１００の構成を示す斜視図である。画像読み取り装置１００は、装置本体上面に設けられて開口部を有する上面カバー１０１と、後述するヒンジ部材の支持部材が挿入される開口部を有する軸受け部１０２と、上面カバー１０１の開口部に取り付けられ原稿読み取り部となるプラテンガラス１０３を有する。また、画像読み取り装置１００には、例えば樹脂成形品で形成された原稿押さえ部材１０４がヒンジ部材１０５を介して取り付けられる。ヒンジ部材１０５は、原稿押さえ部材１０４に例えばネジ留め等の方法で取り付けられ、軸受け部１０２の開口部に挿入される支持部材を有する。ヒンジ部材１０５の詳細については後述する。原稿押さえ部材１０４は、ヒンジ部材１０５によってプラテンガラス１０３とほぼ水平の位置からほぼ垂直の位置までの開閉動作をすることができる。また、原稿押さえ部材１０３は、閉じた状態で原稿またはプラテンガラス１０３と接触する下面側に例えばスポンジ等の接触部材１０６を有する。
【００１８】
図３は、図２で示されたヒンジ部材１０５の詳細を示しており、図３（ａ）は正面図、図３（ｂ）は側面図である。ヒンジ部材１０５は、２つの平行なリブ部１１２を下面側に有する上側基板１１１と、上側基板１１１の２つのリブ部１１２よりやや狭い間隔で同様に平行に形成された２つのリブ部１１４を上面側に有しかつ図２で示された軸受け部１０２の開口部に挿入される支持部材１１５を下面側に有する下側基板１１３とで構成されている。ヒンジ部材１０５は例えば樹脂成形品で形成されており、上側基盤１１１の２つのリブ部１１２と下側基板１１３の２つのリブ部１１４とは、互いに側面が接するような位置に設けられている。また、リブ部１１２及び１１４には、それぞれ通し穴（図示せず）が形成されており、この通し穴にピン１１６を挿通して留めることによって、上側基板１１１と下側基板１１３とがほぼ９０度の範囲で回動自在に連結される。上述のように、ヒンジ部材１０５は、上側基板１１１と原稿押さえ部材（図３には図示せず）とを例えばネジ留め又は接着等の方法によって取り付けることによって固定される。また、ヒンジ部材１０５は、下側基板１１３に設けられた支持部材１１５を下側基板の下面の位置まで軸受け部に挿入することによって、原稿押さえ部材を保持しつつ画像読み取り装置に取り付けられる。支持部材１１５は、図３（ｂ）に示すように、根元部から先端部に向かうにしたがってヒンジ部材１０５の前後方向つまり図示上横方向に緩やかに細くなるような形状を有している。
【００１９】
次に、本実施例１による画像読み取り装置１００と原稿押さえ部材１０４との配置及び開閉動作の詳細について説明する。図４は、原稿押さえ部材１０４に取り付けられたヒンジ部材１０５を画像読み取り装置１００の軸受け部１０２に挿入して取り付けたときの構成を示す断面図である。図４（ａ）に示すように、原稿押さえ部材１０４に取り付けられたヒンジ部材１０５は、支持部材１１５が画像読み取り装置１００の軸受け部１０２に設けられた開口部に挿入されることによって図示上横方向には動かないように配置される。軸受け部１０２の上面のプラテンガラス１０３側には、ヒンジ部材１０５の下側基板１１３よりやや離れた位置に例えば凸状の突起１２０がヒンジ部材１０５の下側基板１１３の一部又は幅全体にわたる長さで形成されている。突起１２０は、ヒンジ部材１０５すなわち原稿押さえ部材１０４を閉じた状態でこれらの部材とは触れない高さを有しており、軸受け部１０２の上面に一体で形成されても接着等の方法で固定されても良い。
【００２０】
使用者が原稿押さえ部材１０４を開けようとして原稿押さえ部材１０４に上向きの力を加えた場合、ヒンジ部材１０５の上側基板は、図４（ｂ）に示すように、図示上右方向に回転する力を受ける。このとき、上述のように、支持部材１１５が根元部から先端部に向けて緩やかに細くなる形状を有しているため、支持部材１１５の先端に近い部分が軸受け部１０２の開口部と接触する位置まで動くことによって、ヒンジ部材１０５の下側基板１１３のプラテンガラス１０３側の端部が浮いて高さＢの空隙を形成する。このように動作することによって、プラテンガラス１０３上に様々な厚さの原稿が載置された場合でも原稿押さえ部材１０４が原稿を均一に押圧しやすくすることが可能となる。一方、上述の空隙は原稿を挟んで損傷を与えてしまう原因となることがある。そこで、図４に示す突起１２０を設けて空隙への原稿の挟み込みを防止することが可能となる。ここで、図４（ｂ）に示すように、突起１２０の高さをＡ１とすると、Ａ１はＢより大きくなるように形成される。突起１２０は、様々な断面形状を取り得るが、好ましくは、凸部の先端が丸みを帯びるように形成されると良い。
【００２１】
次に、本実施例１による画像読み取り装置１００の変形例について図面を用いて説明する。図５は、本実施例１の第１の変形例において、原稿押さえ部材１０４に取り付けられたヒンジ部材１０５を画像読み取り装置１００の軸受け部１０２に挿入して取り付けたときの構成を示す断面図である。図５（ａ）に示すように、原稿押さえ部材１０４に取り付けられたヒンジ部材１０５は、支持部材１１５が画像読み取り装置１００の軸受け部１０２に設けられた開口部に挿入されることによって図示上横方向には動かないように配置される。本実施例１の第１の変形例では、軸受け部１０２の上面にヒンジ部材１０５の下側基板１１３よりやや大きい面積の第２の上面を形成する段差１２１を設ける。段差１２１は、ヒンジ部材１０５すなわち原稿押さえ部材１０４を閉じた状態でこれらの部材とは触れない高さを有しており、軸受け部１０２の上面に一体で形成される。
【００２２】
使用者が原稿押さえ部材１０４を開けようとして原稿押さえ部材１０４に上向きの力を加えた場合、ヒンジ部材１０５の上側基板は、図５（ｂ）に示すように、図示上右方向に回転する力を受ける。このとき、上述のように、支持部材１１５が根元部から先端部に向けて緩やかに細くなる形状を有しているため、支持部材１１５の先端に近い部分が軸受け部１０２の開口部と接触する位置まで動くことによって、ヒンジ部材１０５の下側基板１１３のプラテンガラス１０３側の端部が浮いて高さＢの空隙を形成してしまう。そこで、図５に示す段差１２１及び第２の上面を設けることによって空隙への原稿の挟み込みを防止することが可能となる。ここで、図５（ｂ）に示すように、段差１２１の高さをＡ２とすると、Ａ２はＢより大きくなるように形成される。
【００２３】
次に、本実施例１による画像読み取り装置１００の別の変形例について説明する。図６は、本実施例１による画像読み取り装置１００の変形例を示す斜視図であり、図６（ａ）は第２の変形例、図６（ｂ）は第３の変形例をそれぞれ示している。本実施例１の第２の変形例では、画像読み取り装置１００の上面カバー１０１上でかつヒンジ部材１０５の下側基板１１３の少なくともプラテンガラス側の位置に厚さＡ３の挟み込み防止部材１２２を着脱自在に設ける。図６（ａ）では、ヒンジ部材１０５の下側基板１１３の３辺をほぼ囲繞するような略コの字型の形状を有する場合を示している。このような構成とすることによって、使用者が原稿押さえ部材を開ける際にヒンジ部材１０５に背面側への力が加わって下側基板１１３と軸受け部１０２との間に空隙が生じる場合でも、プラテンガラス側からの原稿の挟み込みを防止することが可能となる。ここで、挟み込み防止部材１２２の厚さＡ３は、上述の隙間よりも大きくなるように形成される。また、挟み込み防止部材１２２を着脱自在とすることによって、例えば原稿の大きさがプラテンガラスよりも大きい場合に、使用者が挟み込み防止部材１２２を使用するか否かを選択することが可能となる。更に、例えばヒンジ部材１０５の位置が画像読み取り装置１００の使用形態に応じて変更可能な場合に、例えば図７に示すような自動原稿搬送装置１３０も選択可能で、更に自動原稿搬送装置１３０のヒンジ部材１３２の位置が異なる場合においても、ヒンジ部材１３２の位置に合わせて所望の位置の軸受け部１３１に装着可能となる。
【００２４】
本実施例１の第３の変形例では、原稿押さえ部材１０４の底面に接着部１２３ａを有しかつ下側基板１１３の一部又は幅全体にわたって覆うフィルム部材１２３が設けられる。フィルム部材１２３は例えば樹脂製であり、上面カバー１０１に常に接触できる程度の大きさ、重さ及び厚さを有していれば良い。
【００２５】
以上のような構成とすることによって、本実施例１による画像読み込み装置１００は、図４から図６に示すように、上面カバー１０１に設けられた軸受け部１０２のプラテンガラス１０３側の一部に突起又は挟み込みを防止する部材を設けたため、原稿押さえ部材１０４を開く際に原稿押さえ部材１０４に取り付けられたヒンジ部材１０５と上面カバー１０１との間に生じる空隙に原稿が挟み込まれないようにすることができる。
【００２６】
また、上記挟み込みを防止する部材を着脱自在に設けたため、原稿が大きな場合又はヒンジ部材の取り付け位置が装置仕様によって異なる場合にも、原稿押さえ部材１０４を開く際にヒンジ部材１０５と上面カバー１０１との間に生じる空隙に原稿が挟み込まれるのを防止することができる。
【００２７】
以上の実施例から、本発明の画像読み込み装置の構成を用いれば、原稿を損傷させることなく様々な厚さの原稿に対する原稿押さえ部材の開閉及び押圧動作を実行することが可能となる。
【００２８】
以上、本発明の好ましい実施例について詳述したが、本発明は係る特定の実施例に限定されるものではなく、特許請求の範囲に記載された本発明の要旨の範囲内において、種々の変形、変更が可能である。例えば、上述の実施例では、使用者が原稿を入れ替える際に自ら開閉動作を行う場合を示したが、本発明の構成は、
自動原稿搬送装置を用いた場合等にも適用が可能である。
【図面の簡単な説明】
【００２９】
【図１】従来技術における上げ蓋用バランスヒンジの構成及び動作を示す断面図である。
【図２】本発明の実施例１における画像読み取り装置１００の構成を示す斜視図である。
【図３】図２で示されたヒンジ部材１０５の詳細を示しており、図３（ａ）は正面図、図３（ｂ）は側面図である。
【図４】本発明の実施例１においてヒンジ部材１０５を軸受け部１０２に挿入して取り付けたときの構成を示す断面図である。
【図５】実施例１の第１の変形例においてヒンジ部材１０５を軸受け部１０２に挿入して取り付けたときの構成を示す断面図である。
【図６】実施例１による画像読み取り装置１００の変形例を示す斜視図であり、図６（ａ）は第２の変形例、図６（ｂ）は第３の変形例をそれぞれ示している。
【図７】本発明の実施例１における画像読み取り装置１００において、原稿自動搬送機能付き原稿押さえ部材を組み付ける構成を示す斜視図である。
【符号の説明】
【００３０】
１００  画像読み取り装置
１０１  上面カバー
１０２  軸受け部
１０３  プラテンガラス
１０４  原稿押さえ部材
１０５  ヒンジ部材
１１１  上側基板
１１１、１１４  リブ部
１１３  下側基板
１１５  支持部材
１２０  突起
１２１  段差
１２２  挟み込み防止部材
１２３  フィルム部材
１３０  原稿自動搬送装置
１３１  原稿自動搬送装置１３０用の軸受け部
１３２  原稿自動搬送装置１３０用のヒンジ部
１３３  原稿自動搬送装置１３０用の原稿押さえ部材
【図１】
2005260761.tif 000003
【図２】
2005260761.tif 000004
【図３】
2005260761.tif 000005
【図４】
2005260761.tif 000006
【図５】
2005260761.tif 000007
【図６】
2005260761.tif 000008
【図７】
2005260761.tif 000009